(57)【特許請求の範囲】
【請求項１】
筐体と、
前記筐体に収容された冷却器と、
前記筐体に収容され、前記冷却器の上方に配置されたファンと、
前記筐体に取り付けられ、前記ファンを保持するファンホルダーと、
前記筐体内において前記ファンと対向する位置に設けられ、前記ファンから吹き出される空気が通る通路が形成されたファングリルと、
前記筐体内において前記ファングリルの下方に設けられた仕切壁と、
を備え、
前記ファングリル及び前記仕切壁によって、前記冷却器及び前記ファンが配置された冷却室と貯蔵室とに前記筐体の内部が仕切られている冷蔵庫であって、
前記ファングリルは、前記通路が形成された本体部と、該本体部から前記冷却室側へ突出した爪とを備え、
前記本体部の下部は、前記仕切壁の上部よりも前記貯蔵室側に配置されて、前記仕切壁の前記上部と対向し、
前記仕切壁の前記上部は、前記ファンホルダーの少なくとも一部よりも前記貯蔵室側に配置されて、前記ファンホルダーの前記一部と対向し、
前記仕切壁の前記上部には、前記爪が挿入された第１開口部が形成されており、
前記ファンホルダーの前記一部には、前記第１開口部と対向し、前記爪が挿入された第２開口部が形成されており、
前記爪は、前記第２開口部から前記冷却室側へ突出している箇所に、前記第２開口部の周縁部と対向する対向部を有し、
前記ファングリルの前記本体部と前記爪の前記対向部とによって、前記仕切壁及び前記ファンホルダーが挟まれている
冷蔵庫。
【請求項２】
前記仕切壁の前記第１開口部は、前記ファンホルダーの前記第２開口部よりも大きい
請求項１に記載の冷蔵庫。
【請求項３】
前記ファングリルの前記本体部の前記下部と前記仕切壁の前記上部とが接触しており、
前記仕切壁の前記上部と前記ファンホルダーの前記一部とが接触しており、
前記爪の前記対向部と前記ファンホルダーの前記周縁部とが接触している
請求項１又は請求項２に記載の冷蔵庫。
【発明の詳細な説明】
【技術分野】
【０００１】
本発明は、筐体の内部がファングリル及び仕切壁によって貯蔵室と冷却室とに仕切られた冷蔵庫に関する。
【背景技術】
【０００２】
冷蔵庫の筐体の内部は、貯蔵室と冷却室とに仕切られている。そして、従来の冷蔵庫には、ファングリル及び仕切壁によって、筐体の内部が貯蔵室と冷却室とに仕切られた冷蔵庫も提案されている（特許文献１参照）。具体的には、このような従来の冷蔵庫は、筐体と、筐体に収容された冷却器と、筐体に収容されて冷却器の上方に配置されたファンとを備えている。また、このような従来の冷蔵庫は、筐体に取り付けられてファンを保持するファンホルダーと、筐体内においてファンと対向する位置に設けられ、ファンから吹き出される空気の通路が形成されたファングリルと、筐体内においてファングリルの下方に設けられた仕切壁とを備えている。そして、このような従来の冷蔵庫は、ファングリル及び仕切壁によって、冷却器及びファンが配置された冷却室と貯蔵室とに筐体の内部が仕切られている。
【先行技術文献】
【特許文献】
【０００３】
【特許文献１】特開昭６０−８９６６４号公報
【発明の概要】
【発明が解決しようとする課題】
【０００４】
ファングリル及び仕切壁によって筐体の内部が貯蔵室と冷却室とに仕切られた冷蔵庫においては、ファングリル、仕切壁及びファンホルダーが部品同士で固定される。この際、ファングリル及び仕切壁によって筐体の内部が貯蔵室と冷却室とに仕切られた従来の冷蔵庫においては、特許文献１に示すように、ファングリル、仕切壁及びファンホルダーを部品同士で固定する際、ブッシュを用いて固定していた。このため、ファングリル及び仕切壁によって筐体の内部が貯蔵室と冷却室とに仕切られた従来の冷蔵庫は、部品点数が増加してしまうという課題があった。【０００５】
本発明は、上述の課題を解決するためになされたものであり、ファングリル及び仕切壁によって筐体の内部が貯蔵室と冷却室とに仕切られた冷蔵庫において、部品点数の増加を抑制することが可能な冷蔵庫を得ることを目的とする。
【課題を解決するための手段】
【０００６】
本発明に係る冷蔵庫は、筐体と、前記筐体に収容された冷却器と、前記筐体に収容され、前記冷却器の上方に配置されたファンと、前記筐体に取り付けられ、前記ファンを保持するファンホルダーと、前記筐体内において前記ファンと対向する位置に設けられ、前記ファンから吹き出される空気が通る通路が形成されたファングリルと、前記筐体内において前記ファングリルの下方に設けられた仕切壁と、を備え、前記ファングリル及び前記仕切壁によって、前記冷却器及び前記ファンが配置された冷却室と貯蔵室とに前記筐体の内部が仕切られている冷蔵庫であって、前記ファングリルは、前記通路が形成された本体部と、該本体部から前記冷却室側へ突出した爪とを備え、前記本体部の下部は、前記仕切壁の上部よりも前記貯蔵室側に配置されて、前記仕切壁の前記上部と対向し、前記仕切壁の前記上部は、前記ファンホルダーの少なくとも一部よりも前記貯蔵室側に配置されて、前記ファンホルダーの前記一部と対向し、前記仕切壁の前記上部には、前記爪が挿入された第１開口部が形成されており、前記ファンホルダーの前記一部には、前記第１開口部と対向し、前記爪が挿入された第２開口部が形成されており、前記爪は、前記第２開口部から前記冷却室側へ突出している箇所に、前記第２開口部の周縁部と対向する対向部を有し、前記ファングリルの前記本体部と前記爪の前記対向部とによって、前記仕切壁及び前記ファンホルダーが挟まれている。
【発明の効果】
【０００７】
本発明に係る冷蔵庫は、ファングリルの本体部と爪の対向部によって、仕切壁及びファンホルダーが挟まれている。このため、本発明に係る冷蔵庫は、ファングリル、仕切壁及びファンホルダーを部品同士で固定する際、従来必要であったブッシュが不要となり、部品点数の増加を抑制することができる。
【図面の簡単な説明】
【０００８】
【図１】本発明の実施の形態に係る冷蔵庫を右側から見た縦断面図である。
【図２】本発明の実施の形態に係る冷蔵庫のファングリル周辺を前面側から見た要部拡大図である。
【図３】本発明の実施の形態に係る冷蔵庫のファングリルを前方から見た斜視図である。
【図４】本発明の実施の形態に係る冷蔵庫のファンホルダーを前方から見た斜視図である。
【図５】本発明の実施の形態に係る冷蔵庫のファンを前方から見た斜視図である。
【図６】本発明の実施の形態に係る冷蔵庫の仕切壁を前方から見た斜視図である。
【図７】図２のＡ−Ａ断面図である。
【図８】図７のＢ部拡大図である。
【発明を実施するための形態】
【０００９】
実施の形態．
図１は、本発明の実施の形態に係る冷蔵庫を右側から見た縦断面図である。すなわち、図１に示す冷蔵庫１００は、紙面左側が前面部となっている。なお、図中に示す引き出し線以外の矢印は、空気の流れを示している。
冷蔵庫１００は、前面部が開口した箱形形状である筐体１、該筐体１の内部に収容された冷却器８、及び、該筐体１の内部に収容されたファン７等を備えている。
【００１０】
筐体１は、該筐体１の内周面部を構成する内箱１ａと、該筐体１の外周面部を構成する外箱１ｂとを備えている。また、内箱１ａと外箱１ｂとの間には、断熱用発泡材である断熱材１ｃが設けられている。なお、外箱１ｂと内箱１ａとの間に、断熱材１ｃとして真空断熱材を設けてもよい。
【００１１】
筐体１の内部は、ファングリル２０及び仕切壁１０により、冷却室６と貯蔵室３とに仕切られている。ファングリル２０及び仕切壁１０よりも後方が冷却室６となっており、ファングリル２０及び仕切壁１０よりも前方が貯蔵室３となっている。ファングリル２０及び仕切壁１０による筐体１の内部の仕切り方をより詳しく説明すると、ファングリル２０は、筐体１内の上部に配置され、筐体１内の上部部分を仕切っている。仕切壁１０は、筐体１内においてファングリル２０の下方に配置され、ファングリル２０よりも下方の部分を仕切っている。
【００１２】
上述のように、筐体１は、前面部が開口している。すなわち、ファングリル２０及び仕切壁１０よりも前方の貯蔵室３は、前面部が開口していることとなる。この貯蔵室３の前面部の開口は、扉２によって開閉自在に塞がれている。なお、本実施の形態に係る貯蔵室３は、貯蔵室３に食品等の貯蔵物を収納しやすくするため、１つの棚４と、４つのバスケット５が設けられている。
【００１３】
冷却室６には、冷却器８が配置されている。この冷却器８は、冷却室６に流入してきた空気を冷却するものである。換言すると、冷却器８は、貯蔵室３に供給する空気を冷却するものである。本実施の形態では、冷凍サイクル回路の蒸発器を、冷却器８として用いている。このため、冷蔵庫１００は、冷凍サイクル回路の構成要素として、圧縮機１４、図示せぬ凝縮器、毛細管等の図示せぬ減圧装置、及び蒸発器として機能する冷却器８を備えている。なお、本実施の形態では、圧縮機１４は、筐体１の後方下部に設けられている。
【００１４】
冷却室６には、冷却器８の上方に、ファン７も配置されている。ファン７は、冷却器８で冷却された空気を吸い込んで吹き出し、貯蔵室３に供給するものである。ファン７は、筐体１に取り付けられたファンホルダー１６によって保持されている。また、ファン７は、ファングリル２０と対向する位置に設けられている。そして、ファングリル２０には、ファン７から吹き出された空気が通る通路２１ａが形成されている。このため、冷却器８で冷却された空気は、ファン７から吹き出され、ファングリル２０の通路２１ａを通って、貯蔵室３に供給される。なお、ファングリル２０の通路２１ａは、後述の図２及び図３等を参照されたい。
【００１５】
ファングリル２０の通路２１ａから貯蔵室３に供給された空気は、矢印で示すように、棚４の前又は後ろを通り、下のバスケット５へと流れていく。全てのバスケット５を流れた空気は、仕切壁１０の下端と内箱１ａと間を通り、冷却室６に流入する。冷却室６に流入した空気は、冷却器８で再び冷却され、ファン７によって貯蔵室３へ再び供給される。
【００１６】
冷凍サイクル回路を動作させ、一定期間冷却器８で空気を冷却していると、冷却器８に霜が付着する。このため、冷蔵庫１００は、冷凍サイクル回路を一定期間動作させた後、冷凍サイクル回路を停止して、冷却器８の除霜動作を行う。具体的には、冷蔵庫１００は、冷却器８の下方に、ヒータ１１を備えている。冷蔵庫１００は、冷却器８の除霜動作を行う際、ヒータ１１に通電し、ヒータ１１が発する熱で冷却器８に付着した霜を溶かす。溶けた霜は水となって、冷却器８の下方に設けられたトレイ９に流れ落ちる。トレイ９に流れ落ちた水は、ドレンパイプ１２を通って、蒸発皿１３に流入する。蒸発皿１３は、圧縮機１４の近傍に設けられている。このため、蒸発皿１３に流入した水は、圧縮機１４が発する熱によって蒸発する。
【００１７】
図２は、本発明の実施の形態に係る冷蔵庫のファングリル周辺を前面側から見た要部拡大図である。
ファン７を保持しているファンホルダー１６は、四隅がリベット１７で筐体１の内箱１ａに固定されている。ファングリル２０は、ファンホルダー１６の前面側に設けられている。
【００１８】
図３は、本発明の実施の形態に係る冷蔵庫のファングリルを前方から見た斜視図である。
ファングリル２０は、本体部２１及び少なくとも１つの爪２２を備えている。本体部２１は、例えば、略直方体の板形状をしている。本体部２１の略中央には、ファン７から吹き出された空気が通る通路２１ａが形成されている。また、通路２１ａには、使用者がファン７に触れることを防止するため、格子が設けられている。また、本体部２１は、上端部、左側部及び右側部に、複数の爪２１ｂを備えている。これらの爪２１ｂをファンホルダー１６の後述する角穴１６ｅに差し込むことにより、ファングリル２０がファンホルダー１６に固定される。爪２２は、本体部２１の下部から冷却室６側へ突出している。なお、本実施の形態では、ファングリル２０は、３つの爪２２を備えている。爪２２の詳細構成は、図８で後述する。
【００１９】
図４は、本発明の実施の形態に係る冷蔵庫のファンホルダーを前方から見た斜視図である。
ファンホルダー１６は、例えば、略直方体の板形状をしている。ファンホルダー１６の略中央には、ファン７が挿入される窪み１６ａが設けられている。この窪み１６ａの略中央は、通風可能とするために開口している。また、窪み１６ａには、ファン７を固定する際に用いる爪１６ｂが設けられている。また、ファンホルダー１６の四隅には、丸穴１６ｃが形成されている。図２で示したように、四隅の丸穴１６ｃにリベット１７を挿入し、該リベット１７を内箱１ａに差し込むことにより、ファンホルダー１６が内箱１ａに固定される。
【００２０】
ファンホルダー１６の例えば下部には、ファングリル２０の爪２２が挿入される第２開口部１６ｄが形成されている。本実施の形態では、第２開口部１６ｄは角穴となっている。また、本実施の形態に係るファンホルダー１６には、爪２２の数に合わせて、３つの第２開口部１６ｄが形成されている。また、ファンホルダー１６には、ファングリル２０の爪２１ｂと対応する位置に、複数の角穴１６ｅが形成されている。上述のように、ファングリル２０の爪２１ｂをファンホルダー１６の角穴１６ｅに差し込むことにより、ファングリル２０がファンホルダー１６に固定される。
【００２１】
また、ファンホルダー１６には、例えば左側の上部に、ファン７の動力線が通される丸穴１６ｆが形成されている。また、ファンホルダー１６は、ファングリル２０を位置決めする際に用いる２つのリブ１６ｇを備えている。
【００２２】
図５は、本発明の実施の形態に係る冷蔵庫のファンを前方から見た斜視図である。なお、図中に示す矢印は、空気の流れを示している。
ファン７は、略中央にボス７ａを備えている。このボス７ａの外周部には、羽根７ｂが設けられている。本実施の形態では、ボス７ａの外周部に、３枚の羽根７ｂが設けられている。また、ボス７ａには、図示せぬモータが接続されている。すなわち、図示せぬモータが回転することにより、ボス７ａ及び羽根７ｂが回転する。これにより、図中に矢印で示されているように、ファン７は、後方の空気を吸い込んで、前方へ吹き出す。すなわち、ファン７は、後方に存在する冷却器８で冷却された空気を吸い込み、該空気を前方のファングリル２０の通路２１ａへ吹き出す。通路２１ａへ吹き出されたこの空気は、通路２１ａを通って貯蔵室３へ流入する。
【００２３】
図６は、本発明の実施の形態に係る冷蔵庫の仕切壁を前方から見た斜視図である。
仕切壁１０は、例えば、略直方体の板形状をしている。仕切壁１０の左側部及び右側部には、複数の丸穴１０ａが形成されている。後述の図７及び図８で示すように、これらの丸穴１０ａにリベット１７を挿入し、該リベット１７を内箱１ａに差し込むことにより、仕切壁１０の左側部及び右側部が内箱１ａに固定される。
【００２４】
また、仕切壁１０の上部には、ファンホルダー１６の第２開口部１６ｄと対向し、ファングリル２０の爪２２が挿入される第１開口部１０ｂが形成されている。本実施の形態では、第１開口部１０ｂは角穴となっている。また、本実施の形態に係る仕切壁１０には、爪２２及び第２開口部１６ｄの数に合わせて、３つの第１開口部１０ｂが形成されている。さらに、本実施の形態では、仕切壁１０の第１開口部１０ｂは、ファンホルダー１６の第２開口部１６ｄよりも大きくなっている。なお、仕切壁１０の略中央にある複数の縦長の凸部１０ｃは、仕切壁１０の補強のために成形されている。
【００２５】
図７は、図２のＡ−Ａ断面図である。また、図８は、図７のＢ部拡大図である。
ファングリル２０、仕切壁１０及びファンホルダー１６が筐体１に取り付けられた状態においては、ファングリル２０の本体部２１の下部は、仕切壁１０の上部よりも貯蔵室３側に配置されて、仕切壁１０の上部と対向している。仕切壁１０の上部と対向しているファングリル２０の本体部２１のこの下部部分に、爪２２が設けられている。ファングリル２０の本体部２１の下部と対向している仕切壁１０のこの上部部分に、第１開口部１０ｂが形成されている。
【００２６】
また、ファングリル２０、仕切壁１０及びファンホルダー１６が筐体１に取り付けられた状態においては、仕切壁１０の上部は、ファンホルダー１６の少なくとも一部よりも貯蔵室３側に配置されて、ファンホルダー１６のこの一部と対向している。本実施の形態では、第２開口部１６ｄがファンホルダー１６の下部に形成されているため、ファンホルダー１６の上記一部は、ファンホルダー１６の下部となっている。ファンホルダー１６の下部と対向している仕切壁１０のこの上部部分に、第１開口部１０ｂが形成されている。仕切壁１０の上部と対向しているファンホルダー１６のこの下部部分に、第１開口部１０ｂと対向する第２開口部１６ｄが形成されている。
【００２７】
また、ファングリル２０、仕切壁１０及びファンホルダー１６が筐体１に取り付けられた状態においては、ファングリル２０の爪２２が、仕切壁１０の第１開口部１０ｂ及びファンホルダー１６の第２開口部１６ｄに挿入されている。
【００２８】
ここで、図８に示すように、爪２２は、ファンホルダー１６の第２開口部１６ｄから冷却室６側へ突出している箇所に、ファンホルダー１６の第２開口部１６ｄの周縁部１６ｈと対向する対向部２２ａを備えている。なお、本実施の形態では、周縁部１６ｈが第２開口部１６ｄの下方の周縁部となっているが、周縁部１６ｈは、第２開口部１６ｄの左右の周縁部又は上方の周縁部であってもよい。
【００２９】
上述のように爪２２が対向部２２ａを備えているので、ファングリル２０の本体部２１と爪２２の対向部２２ａとによって、仕切壁１０及びファンホルダー１６が挟まれた状態となる。これにより、ファングリル２０、仕切壁１０及びファンホルダー１６が部品同士で固定される。このように、本実施の形態に係る冷蔵庫１００においては、ファングリル２０、仕切壁１０及びファンホルダー１６を部品同士で固定する際、従来必要であったブッシュが不要となり、部品点数の増加を抑制することができる。
【００３０】
さらに、本実施の形態では、ファングリル２０が取り外されている状態においては、ファングリル２０の本体部２１と爪２２の対向部２２ａとの間の隙間の大きさは、本体部２１及び対向部２２ａで挟まれる箇所の仕切壁１０の厚みとファンホルダー１６の厚みとの合計以下となっている。このため、ファングリル２０の本体部２１と爪２２の対向部２２ａとによって仕切壁１０及びファンホルダー１６が挟まれた状態においては、ファングリル２０の本体部２１の下部と仕切壁１０の上部とが接触しており、仕切壁１０の上部とファンホルダー１６の下部とが接触しており、爪２２の対向部２２ａとファンホルダー１６の周縁部１６ｈとが接触している状態となる。
【００３１】
すなわち、仕切壁１０の第１開口部１０ｂがファングリル２０の本体部２１で塞がれ、ファングリル２０の本体部２１の下部と仕切壁１０の上部との間に隙間が空かず、仕切壁１０の上部とファンホルダー１６の下部との間に隙間が空かない状態となる。このため、ファングリル２０、仕切壁１０及びファンホルダー１６を部品同士で固定している箇所から、貯蔵室３内の空気が冷却室６に戻ることを抑制できる。このため、冷却室６から貯蔵室３へ、冷却された空気を効率良く供給することができる。また、ファングリル２０と仕切壁１０との間に隙間が空かないので、ファングリル２０と仕切壁１０との間に指等が挟まれることも防止できる。
【００３２】
続いて、ファングリル２０、仕切壁１０及びファンホルダー１６の組み付け手順について説明する。
まず、ファン７が固定されたファンホルダー１６を、リベット１７で内箱１ａに固定する。次に、ファンホルダー１６の下部の前方に仕切壁１０の上部を配置し、ファンホルダー１６の第２開口部１６ｄと仕切壁１０の第１開口部１０ｂとの位置を合わせる。次に、ファングリル２０の爪２２を、前方から、仕切壁１０の第１開口部１０ｂ及びファンホルダー１６の第２開口部１６ｄに挿入する。そして、ファングリル２０の本体部２１と爪２２の対向部２２ａとによって、仕切壁１０及びファンホルダー１６を挟む。その後、ファングリル２０の本体部２１の爪２１ｂをファンホルダー１６の角穴１６ｅに差し込み、ファングリル２０をファンホルダー１６に固定する。
【００３３】
最後に、仕切壁１０の左右側部を内箱１ａに固定する。なお、上述のように、本実施の形態では、仕切壁１０の左右側部を、リベット１７で内箱１ａに固定する。ここで、本実施の形態では、仕切壁１０の第１開口部１０ｂは、ファンホルダー１６の第２開口部１６ｄよりも大きくなっている。このため、仕切壁１０の左右側部を内箱１ａに固定する際、仕切壁１０の可動範囲が広がるため、仕切壁１０の位置決め作業性が向上し、仕切壁１０の左右側部を内箱１ａに固定することが容易となる。
【００３４】
以上、本実施の形態に係る冷蔵庫１００は、筐体１と、筐体１に収容された冷却器８と、筐体１に収容されて冷却器８の上方に配置されたファン７と、筐体１に取り付けられてファン７を保持するファンホルダー１６と、筐体１内においてファン７と対向する位置に設けられ、ファン７から吹き出される空気が通る通路２１ａが形成されたファングリル２０と、筐体１内においてファングリル２０の下方に設けられた仕切壁１０と、を備えている。そして、本実施の形態に係る冷蔵庫１００は、ファングリル２０及び仕切壁１０によって、冷却器８及びファン７が配置された冷却室６と貯蔵室３とに筐体１の内部が仕切られている。ファングリル２０は、通路２１ａが形成された本体部２１と、本体部２１から冷却室６側へ突出した爪２２とを備えている。ファングリル２０の本体部２１の下部は、仕切壁１０の上部よりも貯蔵室３側に配置されて、仕切壁１０の上部と対向している。仕切壁１０の上部は、ファンホルダー１６の少なくとも一部よりも貯蔵室３側に配置されて、ファンホルダー１６の上記一部と対向している。仕切壁１０の上部には、爪２２が挿入された第１開口部１０ｂが形成されている。ファンホルダー１６の上記一部には、第１開口部１０ｂと対向し、爪２２が挿入された第２開口部１６ｄが形成されている。爪２２は、第２開口部１６ｄから冷却室６側へ突出している箇所に、第２開口部１６ｄの周縁部１６ｈと対向する対向部２２ａを有している。そして、ファングリル２０の本体部２１と爪２２の対向部２２ａとによって、仕切壁１０及びファンホルダー１６が挟まれている。
【００３５】
このため、本実施の形態に係る冷蔵庫１００は、上述のように、ファングリル２０、仕切壁１０及びファンホルダー１６を部品同士で固定する際、従来必要であったブッシュが不要となり、部品点数の増加を抑制することができる。
【符号の説明】
【００３６】
１  筐体、１ａ  内箱、１ｂ  外箱、１ｃ  断熱材、２  扉、３  貯蔵室、４  棚、５  バスケット、６  冷却室、７  ファン、７ａ  ボス、７ｂ  羽根、８  冷却器、９  トレイ、１０  仕切壁、１０ａ  丸穴、１０ｂ  第１開口部、１０ｃ  凸部、１１  ヒータ、１２  ドレンパイプ、１３  蒸発皿、１４  圧縮機、１６  ファンホルダー、１６ａ  窪み、１６ｂ  爪、１６ｃ  丸穴、１６ｄ  第２開口部、１６ｅ  角穴、１６ｆ  丸穴、１６ｇ  リブ、１６ｈ  周縁部、１７  リベット、２０  ファングリル、２１  本体部、２１ａ  通路、２１ｂ  爪、２２  爪、２２ａ  対向部、１００  冷蔵庫。
【図１】
0006910567.tif 000002
【図２】
0006910567.tif 000003
【図３】
0006910567.tif 000004
【図４】
0006910567.tif 000005
【図５】
0006910567.tif 000006
【図６】
0006910567.tif 000007
【図７】
0006910567.tif 000008
【図８】
0006910567.tif 000009